(57)【要約】【課題】メラミン樹脂発泡体を、補強により効果的に清掃に利用することができ、メラミン樹脂発泡体層の清掃機能を損なうことなく視覚的情報を効果的に表示することができる。【解決手段】目付け１５ｇ／ｍ２の不織布からなる柔軟な補強薄層１２を挟んで上下両側に、厚さ３ｍｍの柔軟なメラミン樹脂発泡体層１４が積層してなり、補強薄層１２に文字からなる視覚的情報１６が表示されることにより、上側のメラミン樹脂発泡体層１４を透してそのメラミン樹脂発泡体層１４の上面側に視覚的情報１６ａが表れている。【選択図】      図１
2004261261.tif 000002
【特許請求の範囲】
【請求項１】
補強薄層を挟んで両側に、柔軟なメラミン樹脂発泡体層が積層してなる清掃材であって、
補強薄層に視覚的情報が表示され、一方又は両方のメラミン樹脂発泡体層を透してそのメラミン樹脂発泡体層の表面側に前記視覚的情報が表れていることを特徴とする清掃材。
【請求項２】
補強薄層を挟んで両側に、柔軟なメラミン樹脂発泡体層が積層してなる清掃材であって、
一方又は両方のメラミン樹脂発泡体層の裏面に視覚的情報が表示され、視覚的情報が表示されたメラミン樹脂発泡体層を透してその表面側に前記視覚的情報が表れていることを特徴とする清掃材。
【請求項３】
上記両メラミン樹脂発泡体層の各厚さが０．５乃至５ｍｍであり、補強薄層を挟んで両側にそれらのメラミン樹脂発泡体層が積層されることにより各メラミン樹脂発泡体層が厚さ方向に全体的に補強された請求項１又は２記載の清掃材。
【請求項４】
補強薄層を挟んで両側に、０．５乃至２５ｍｍ厚の柔軟なメラミン樹脂発泡体層が積層してなものであることを特徴とする清掃材。
【請求項５】
補強薄層を挟んで両側に、０．５乃至５ｍｍ厚の柔軟なメラミン樹脂発泡体層が積層してなるものであることを特徴とする清掃材。
【請求項６】
補強薄層が不織布層である請求項１乃至５の何れかに記載の清掃材。
【請求項７】
補強薄層が、メラミン樹脂発泡体層を構成するメラミン樹脂発泡体の融点よりも十分に低い温度で溶融する熱溶融樹脂シート層である請求項１乃至５の何れかに記載の清掃材。
【発明の詳細な説明】
【０００１】
【発明の属する技術分野】
本発明は、メラミン樹脂発泡体により清掃対象面を拭いて清掃を行うための清掃材に関する。
【０００２】
【従来の技術】
メラミン系樹脂発泡体は、水を含ませて清掃対象面を拭くことにより、清掃対象面に付着した汚れ、特に油汚れやこびりついた汚れ等を、洗剤なしでも効果的に除去することができるものであるが、メラミン樹脂発泡体層自体は、表面部付近から磨耗・崩壊し易いという欠点がある。
【０００３】
特許文献１には、メラミン系樹脂発泡体と、該メラミン樹脂発泡体に固着された把持部とよりなり、当該メラミン系樹脂発泡体の表面が拭き面とされる拭き清浄具であって、把持部として、メラミン系樹脂発泡体よりも引っ張り強度および引き裂き強度の高い弾性発泡体（例えば、ポリプロピレン発泡体、ポリエチレン発泡体等）を用いる発明が記載されている。
【０００４】
特許文献１に記載された拭き清浄具は、把持部を把持して清掃を行うことができるため、メラミン系樹脂発泡体を直接掴む必要がなく、メラミン系樹脂発泡体の破損を抑えて効率良く清浄を行うことができる。しかしながら、特許文献１記載の拭き清浄具では、メラミン系樹脂発泡体が比較的厚いものであるため、全体の耐久性を効果的に高めることはできず、表面部付近から磨耗・崩壊した場合に漸次使い辛いものとなって、特に把持部近傍においては一層使い辛くなり、メラミン系樹脂発泡体全体を十分に清掃に利用することは困難である。また、特許文献１には、清掃材における視覚的情報の表示についての記載はない。
【特許文献１】特開２００１−２５８８０９号公報
【０００５】
【発明が解決しようとする課題】
本発明は、従来技術に存した上記のような課題に鑑み行われたものであって、その目的とするところは、メラミン樹脂発泡体を、補強により効果的に清掃に利用することができ、メラミン樹脂発泡体層の清掃機能を損なうことなく視覚的情報を効果的に表示することができる清掃材を提供することにある。
【０００６】
【課題を解決するための手段】
上記目的を達成する本発明の清掃材は、
補強薄層を挟んで両側に、柔軟なメラミン樹脂発泡体層が積層してなる清掃材であって、
補強薄層に視覚的情報が表示され、一方又は両方のメラミン樹脂発泡体層を透してそのメラミン樹脂発泡体層の表面側に前記視覚的情報が表れていることを特徴とする。
【０００７】
何れかのメラミン樹脂発泡体層に水を含ませて清掃対象面を拭くことにより、清掃対象面に付着した汚れ、特に油汚れやこびりついた汚れ等を、効果的に除去することができる。メラミン樹脂発泡体層自体は、表面部付近から磨耗・崩壊し易いものであるが、補強薄層を挟んで両側にメラミン樹脂発泡体層が積層しているため、両メラミン樹脂発泡体層が補強薄層により補強される。
【０００８】
また、補強薄層に視覚的情報を表示することにより、一方又は両方のメラミン樹脂発泡体層を透してそのメラミン樹脂発泡体層の表面側に視覚的情報が表れる。視覚的情報を表示するのはメラミン樹脂発泡体層の裏側の補強薄層であるため、メラミン樹脂発泡体層の清掃機能が損なわれない。使用者に見えるメラミン樹脂発泡体層の表面側に視覚的情報が表れる状態で、その逆側のメラミン樹脂発泡体層で清掃対象面を拭くことができること、及び、清掃機能を有するメラミン樹脂発泡体層を透して視覚的情報が表れるという特異性により、視覚的情報を効果的に表示することができる。而も、メラミン樹脂発泡体層は表面部付近から比較的磨耗・崩壊し易くて清掃材の寿命は比較的短く、次々と交換使用され易いので、視覚的情報を伝達する媒体として好適である。
【０００９】
両方のメラミン樹脂発泡体層を透してそれぞれのメラミン樹脂発泡体層の表面側に視覚的情報が表れる場合としては、例えば補強薄層の両面に視覚的情報が表示されている場合と、補強薄層の一方の面に視覚的情報が表示され、他方の面には視覚的情報が透けて表れる場合があり得る。
【００１０】
また本発明の清掃材は、補強薄層を挟んで両側に、柔軟なメラミン樹脂発泡体層が積層してなる清掃材であって、
一方又は両方のメラミン樹脂発泡体層の裏面に視覚的情報が表示され、視覚的情報が表示されたメラミン樹脂発泡体層を透してその表面側に前記視覚的情報が表れていることを特徴とする。
【００１１】
何れかのメラミン樹脂発泡体層に水を含ませて清掃対象面を拭くことにより、清掃対象面に付着した汚れ、特に油汚れやこびりついた汚れ等を、効果的に除去することができる。メラミン樹脂発泡体層自体は、表面部付近から磨耗・崩壊し易いものであるが、補強薄層を挟んで両側にメラミン樹脂発泡体層が積層しているため、両メラミン樹脂発泡体層が補強薄層により補強される。
【００１２】
また、メラミン樹脂発泡体層の裏面に視覚的情報を表示することにより、メラミン樹脂発泡体層を透してそのメラミン樹脂発泡体層の表面側に視覚的情報が表れる。視覚的情報を表示するのはメラミン樹脂発泡体層の裏面であるため、メラミン樹脂発泡体層の清掃機能が損なわれない。使用者に見えるメラミン樹脂発泡体層の表面側に視覚的情報が表れる状態で、その逆側のメラミン樹脂発泡体層で清掃対象面を拭くことができること、及び、清掃機能を有するメラミン樹脂発泡体層を透して視覚的情報が表れるという特異性により、視覚的情報を効果的に表示することができる。而も、メラミン樹脂発泡体層は表面部付近から比較的磨耗・崩壊し易くて清掃材の寿命は比較的短く、次々と交換使用され易いので、視覚的情報を伝達する媒体として好適である。
【００１３】
一方のメラミン樹脂発泡体層の裏面に表示された視覚的情報が、補強薄層及び他方のメラミン樹脂発泡体層を透かしてその他方のメラミン樹脂発泡体層の表面側に表れる場合、及び、これに加えて、他方のメラミン樹脂発泡体層の裏面に表示された視覚的情報が、補強薄層及び一方のメラミン樹脂発泡体層を透かしてその一方のメラミン樹脂発泡体層の表面側に表れる場合があり得る。また更に、前者又は後者に加えて、補強薄層の両面に視覚的情報が表示されている場合と、補強薄層の一方の面に視覚的情報が表示され、他方の面には視覚的情報が透けて表れる場合があり得る。
【００１４】
上記本発明の清掃材は、上記両メラミン樹脂発泡体層の各厚さが０．５乃至５ｍｍであり、補強薄層を挟んで両側にそれらのメラミン樹脂発泡体層が積層されることにより各メラミン樹脂発泡体層が厚さ方向に全体的に補強されたものであることが好ましい。
【００１５】
メラミン樹脂発泡体層自体は、表面部付近から磨耗・崩壊し易いものであるが、補強薄層を挟んで両側に厚さの薄いメラミン樹脂発泡体層が積層して両メラミン樹脂発泡体層と補強薄層が一体化しているため、両メラミン樹脂発泡体層が補強薄層により効果的に補強される。メラミン樹脂発泡体層は厚さが薄いので、補強薄層による補強効果は、その両側に積層されたメラミン樹脂発泡体層の厚さ方向に全体的に及び、高い補強効率を実現することができる。また、メラミン樹脂発泡体層が厚さ方向に全体的に補強されているため、そのメラミン樹脂発泡体層を構成するメラミン樹脂発泡体の実質上全体を効果的に清掃に利用することができる。そのため、対コスト効果が極めて高い。
【００１６】
また、メラミン樹脂発泡体層は厚さが薄いので、メラミン樹脂発泡体層の裏面又は補強薄層に視覚的情報を表示することにより、メラミン樹脂発泡体層を透してそのメラミン樹脂発泡体層の表面側に視覚的情報が表れる。而も、メラミン樹脂発泡体層は表面部付近から比較的磨耗・崩壊し易くて清掃材の寿命は比較的短く、次々と交換使用され易いので、視覚的情報を伝達する媒体として好適である。
【００１７】
本発明の別の清掃材は、補強薄層を挟んで両側に、０．５乃至２５ｍｍ厚の柔軟なメラミン樹脂発泡体層が積層してなものであることを特徴とする。
【００１８】
この清掃具を用い、何れかのメラミン樹脂発泡体層に水を含ませて清掃対象面を拭くことにより、清掃対象面に付着した汚れ、特に油汚れやこびりついた汚れ等を、効果的に除去することができる。
【００１９】
メラミン樹脂発泡体層自体は、表面部付近から磨耗・崩壊し易いものであるが、補強薄層を挟んで両側にメラミン樹脂発泡体層が積層して両メラミン樹脂発泡体層と補強薄層が一体化しているため、両メラミン樹脂発泡体層が補強薄層により効果的に補強され、両メラミン樹脂発泡体層を最後まで効率的に使用することができる。
【００２０】
また本発明の更に別の清掃材は、補強薄層を挟んで両側に、０．５乃至５ｍｍ厚の柔軟なメラミン樹脂発泡体層が積層してなるものであることを特徴とする。
【００２１】
この清掃具を用い、何れかのメラミン樹脂発泡体層に水を含ませて清掃対象面を拭くことにより、清掃対象面に付着した汚れ、特に油汚れやこびりついた汚れ等を、効果的に除去することができる。
【００２２】
メラミン樹脂発泡体層自体は、表面部付近から磨耗・崩壊し易いものであるが、補強薄層を挟んで両側に厚さの薄いメラミン樹脂発泡体層が積層して両メラミン樹脂発泡体層と補強薄層が一体化しているため、両メラミン樹脂発泡体層が補強薄層により効果的に補強される。メラミン樹脂発泡体層は厚さが薄いので、補強薄層による補強効果は、その両側に積層されたメラミン樹脂発泡体層の厚さ方向に全体的に及び、高い補強効率を実現することができる。また、メラミン樹脂発泡体層が厚さ方向に全体的に補強されているため、そのメラミン樹脂発泡体層を構成するメラミン樹脂発泡体の実質上全体を効果的に清掃に利用することができる。そのため、対コスト効果が極めて高い。
【００２３】
前記補強薄層は、不織布層であることが好ましい。補強薄層を不織布層とすることにより、柔軟性に富み、且つ補強効果の高い清掃材が得られる。
【００２４】
また、前記補強薄層を、メラミン樹脂発泡体層を構成するメラミン樹脂発泡体の融点よりも十分に低い温度で溶融する熱溶融樹脂シート層とすることもできる。メラミン樹脂発泡体層を構成するメラミン樹脂発泡体の融点よりも十分に低い温度で溶融する熱溶融樹脂シート層を補強薄層とする場合、その補強薄層を形成するための熱溶融樹脂シートの両側にメラミン樹脂発泡体層を積み重ねた状態で、メラミン樹脂発泡体の融点よりも十分に低く熱溶融樹脂シートの融点よりも高い温度で加熱することにより、メラミン樹脂発泡体層を溶融させることなく熱溶融樹脂を溶融させ、その後冷却固化させて積層することができる。
【００２５】
【発明の実施の形態】
本発明の実施の形態を、図面を参照しつつ説明する。
【００２６】
図面は何れも本発明の実施の形態の一例としての清掃材に関するものであって、図１は清掃材の斜視図、図２は清掃材の分解斜視図、図３は、視覚的情報が表示された補強薄層の斜視図、図４は、上面に視覚的情報が表示されたメラミン樹脂発泡体層の斜視図、図５は、下面に視覚的情報が表示されたメラミン樹脂発泡体層の斜視図である。
【００２７】
図１に示す清掃材１０は、図２に示されるように、補強薄層１２を挟んで上下両側に、柔軟なメラミン樹脂発泡体層１４が積層してなり、例えば図３に示されるように補強薄層１２に視覚的情報１６が表示されることにより、上側のメラミン樹脂発泡体層１４を透してそのメラミン樹脂発泡体層１４の上面側に前記視覚的情報１６が表れている。
【００２８】
メラミン樹脂発泡体層１４は、ほぼ板形状をなし、その厚さは３ｍｍである。メラミン樹脂発泡体層１４の厚さは、例えば０．５乃至２５ｍｍとすることができ、０．５乃至５ｍｍが好ましく、より好ましくは１乃至３ｍｍである。
【００２９】
補強薄層１２は目付け１５ｇ／ｍ２の柔軟な不織布からなる。補強薄層１２を不織布層とすることにより、柔軟性に富み、且つ補強効果の高い清掃材１０が得られる。補強薄層１２は、メラミン樹脂発泡体層１４よりも薄いものであることが好ましく、例えば厚さ２ｍｍ以下、好ましくは１ｍｍ以下、或は、０．５ｍｍ又は０．２ｍｍ以下である。補強薄層１２としては、柔軟なものが好ましく、不織布層（目付けが例えば５乃至４０ｇ／ｍ２の、スパンボンド、スパンレース等の不織布）、合成樹脂層、接着剤に由来する接着剤層、強度の高い発泡樹脂からなる発泡樹脂層、発泡ウレタン樹脂層、メラミン樹脂発泡体層を構成するメラミン樹脂発泡体の融点よりも十分に低い温度（例えば８０乃至１２０℃）で溶融する熱溶融樹脂シート層等を例示することができる。
【００３０】
補強薄層１２を挟んで上下両側に対するメラミン樹脂発泡体層１４の積層は、接着剤による接着、合成樹脂の溶融固化等により行い得る。メラミン樹脂発泡体層を構成するメラミン樹脂発泡体の融点よりも十分に低い温度（例えば８０乃至１２０℃）で溶融する熱溶融樹脂シート層を補強薄層１２とする場合、その補強薄層１２を形成するための熱溶融樹脂シートの両側にメラミン樹脂発泡体層１４を積み重ねた状態で、メラミン樹脂発泡体の融点よりも十分に低く熱溶融樹脂シートの融点よりも高い温度で加熱することにより、メラミン樹脂発泡体層１４を溶融させることなく熱溶融樹脂を溶融させ、その後冷却固化させて積層することができる。なお、補強薄層１２は、メラミン樹脂発泡体層１４の裏面全面にわたり接着していることが好ましいが、必ずしも全面であることを要するものではない。
【００３１】
補強薄層１２には両面に視覚的情報１６が表示されている。視覚的情報１６としては、図面に示されるような文字のみのほか、例えば文字、図形、記号、模様、絵等の１又は２以上を挙げることができる。
【００３２】
図１における下側のメラミン樹脂発泡体層１４に水を含ませて清掃対象面を拭くことにより、清掃対象面に付着した汚れ、特に油汚れやこびりついた汚れ等を、効果的に除去することができる。補強薄層１２を挟んで両側に３ｍｍ厚の薄いメラミン樹脂発泡体層１４が積層して両メラミン樹脂発泡体層１４と補強薄層１２が一体化しているため、両メラミン樹脂発泡体が補強薄層１２により補強され、補強薄層１２による補強効果は、その両側に積層されたメラミン樹脂発泡体層１４の厚さ方向に全体的に及び、高い補強効率を実現することができる。また、メラミン樹脂発泡体層１４が厚さ方向に全体的に補強されているため、メラミン樹脂発泡体の実質上全体を効果的に清掃に利用することができ、対コスト効果が極めて高い。なお、メラミン樹脂発泡体層の厚さが５乃至２５ｍｍである場合、両メラミン樹脂発泡体層が効果的に補強されると共に、全体としてある程度の厚さとなるため、把持して使用する上で好適である。
【００３３】
また、メラミン樹脂発泡体層１４は３ｍｍ厚と薄いので、補強薄層１２に表示した視覚的情報１６が、図１に示されるように上側のメラミン樹脂発泡体層１４を透してそのメラミン樹脂発泡体層１４の上面側に視覚的情報１６ａとして表れる。而も、メラミン樹脂発泡体層１４は表面部付近から比較的磨耗・崩壊し易くて清掃材１０の寿命は比較的短く、次々と交換使用され易いので、視覚的情報１６を伝達する媒体として好適である。なお、下側のメラミン樹脂発泡体層１４を透してそのメラミン樹脂発泡体層１４の表面側にも視覚的情報が表れる。
【００３４】
補強薄層１２には視覚的情報が表示されないものを用い、図４に示すように下側のメラミン樹脂発泡体層１４の上面に視覚的情報１６が表示されたものを用いることにより、下側のメラミン樹脂発泡体層１４を透してそのメラミン樹脂発泡体層１４の表面側に視覚的情報が表れる。この場合に補強薄層１２として下側のメラミン樹脂発泡体層１４の上面の視覚的情報が透けるもの（例えば透明又は半透明性の接着剤層、透明又は半透明性の樹脂層、極薄い不織布層等）を用いることにより、上側のメラミン樹脂発泡体層１４を透してそのメラミン樹脂発泡体層１４の上面側に視覚的情報が表れる。図５に示すように上側のメラミン樹脂発泡体層１４の下面に視覚的情報が表示されたものを用いることによっても同様に上側のメラミン樹脂発泡体層１４を透してそのメラミン樹脂発泡体層１４の上面側に視覚的情報１６ａが表れる。また、下側のメラミン樹脂発泡体層１４を透してそのメラミン樹脂発泡体層１４の表面側にも視覚的情報が表れるものとすることもできる。
【００３５】
なお、以上の実施の形態についての記述における上下位置関係は、単に図に基づいた説明の便宜のためのものであって、実際の使用状態等を限定するものではない。
【００３６】
【発明の効果】
請求項１及び２の清掃材においては、両メラミン樹脂発泡体が補強薄層により補強され、また、メラミン樹脂発泡体層を透して、メラミン樹脂発泡体層の清掃機能を損なうことなく、そのメラミン樹脂発泡体層の表面側に視覚的情報が表れる。使用者に見えるメラミン樹脂発泡体層の表面側に視覚的情報が表れる状態で、その逆側のメラミン樹脂発泡体層で清掃対象面を拭くことができること、及び、清掃機能を有するメラミン樹脂発泡体層を透して視覚的情報が表れるという特異性により、視覚的情報を効果的に表示することができる。
【００３７】
請求項３の清掃材においては、補強薄層を挟んで両側にメラミン樹脂発泡体層が積層して両メラミン樹脂発泡体層と補強薄層が一体化しているため、両メラミン樹脂発泡体が補強薄層により効果的に補強され、メラミン樹脂発泡体層は厚さが薄いので、補強薄層による補強効果は、その両側に積層されたメラミン樹脂発泡体層の厚さ方向に全体的に及び、高い補強効率を実現することができる。メラミン樹脂発泡体層が厚さ方向に全体的に補強されているため、そのメラミン樹脂発泡体層を構成するメラミン樹脂発泡体の実質上全体を効果的に清掃に利用することができ、対コスト効果が極めて高い。また、メラミン樹脂発泡体層は厚さが薄いので、メラミン樹脂発泡体層の裏面又は補強薄層に視覚的情報を表示することにより、メラミン樹脂発泡体層を透してそのメラミン樹脂発泡体層の表面側に視覚的情報が表れる。
【００３８】
請求項４の清掃材においては、補強薄層を挟んで両側にメラミン樹脂発泡体層が積層して両メラミン樹脂発泡体層と補強薄層が一体化しているため、両メラミン樹脂発泡体層が補強薄層により効果的に補強され、両メラミン樹脂発泡体層を最後まで効率的に使用することができる。
【００３９】
請求項５の清掃材においては、補強薄層を挟んで両側にメラミン樹脂発泡体層が積層して両メラミン樹脂発泡体層と補強薄層が一体化しているため、両メラミン樹脂発泡体が補強薄層により効果的に補強され、メラミン樹脂発泡体層は厚さが薄いので、補強薄層による補強効果は、その両側に積層されたメラミン樹脂発泡体層の厚さ方向に全体的に及び、高い補強効率を実現することができる。メラミン樹脂発泡体層が厚さ方向に全体的に補強されているため、そのメラミン樹脂発泡体層を構成するメラミン樹脂発泡体の実質上全体を効果的に清掃に利用することができ、対コスト効果が極めて高い。
【００４０】
請求項６の清掃材においては、補強薄層が不織布層であることにより、柔軟性に富み、且つ補強効果が高い。
【００４１】
請求項７の清掃材においては、熱溶融樹脂シートの両側にメラミン樹脂発泡体層を積み重ねた状態で、メラミン樹脂発泡体の融点よりも十分に低く熱溶融樹脂シートの融点よりも高い温度で加熱することにより、メラミン樹脂発泡体層を溶融させることなく熱溶融樹脂を溶融させ、その後冷却固化させて積層することができる。
【図面の簡単な説明】
【図１】清掃材の斜視図である。
【図２】清掃材の分解斜視図である。
【図３】視覚的情報が表示された補強薄層の斜視図である。
【図４】上面に視覚的情報が表示されたメラミン樹脂発泡体層の斜視図である。
【図５】下面に視覚的情報が表示されたメラミン樹脂発泡体層の斜視図である。
【符号の説明】
１０      清掃材
１２      補強薄層
１４      メラミン樹脂発泡体層
１６      視覚的情報
１６ａ    視覚的情報
【図１】
2004261261.tif 000003
【図２】
2004261261.tif 000004
【図３】
2004261261.tif 000005
【図４】
2004261261.tif 000006
【図５】
2004261261.tif 000007